(57)【要約】【課題】既に放送局から取得されて記憶されている受信情報を有効に活用する。【解決手段】ＣＰＵ６は、メモリ７に記憶されているサービスＩＤと、メモリ８に記憶されているサービスＩＤとを比較し、これらのサービスＩＤが一致するか否かを判断する。一致しないサービスＩＤに対応するロゴ情報は消去する一方、一致するサービスＩＤに対応するロゴ情報は消去しない。従って、既に実行されたチャンネルスキャンの完了後にメモリ８に記憶されたロゴ情報のうち、新たにチャンネルスキャンされて正常かつ良好に受信できる放送信号を送信する放送局のロゴ情報はメモリ８から消去されず、そのまま使用できる。【選択図】  図３
2004312202.tif 000002
【特許請求の範囲】
【請求項１】
地上波デジタル放送チャンネルのスキャンにおいてある放送局から受信した受信情報に含まれるサービスＩＤと、既に放送局から受信して記憶されている受信情報に含まれるサービスＩＤとを比較し、これらのサービスＩＤが一致する場合は記憶されているロゴ情報を消去せず、一致しない場合は記憶されているロゴ情報を消去することを特徴とする地上波デジタル放送受信機。
【請求項２】
地上波デジタル放送チャンネルのスキャンにおいてある放送局から受信した受信情報と、既に放送局から受信して記憶されている受信情報とを比較し、これらの受信情報の比較結果に応じて記憶されているロゴ情報を消去しないことを特徴とする地上波デジタル放送受信機。
【請求項３】
前記受信した受信情報と前記記憶されている受信情報とが一致するか否かを判断し、一致しない場合は記憶されているロゴ情報を消去することを特徴とする請求項２記載の地上波デジタル放送受信機。
【請求項４】
前記記憶されている受信情報はサービスＩＤを含むことを特徴とする請求項２記載の地上波デジタル放送受信機。
【発明の詳細な説明】
【０００１】
【発明の属する技術分野】
本発明は、地上波デジタル放送受信機に関する。
【０００２】
【従来の技術】
２００３年１２月から三大広域圏（関東、中京、近畿）で本放送の開始が予定されている地上波デジタル放送では、ＵＨＦ帯の１３〜６２ｃｈまでの物理チャンネルを全て検査し、放送の有無を確認するスキャンが地上波デジタル放送受信機で行われる。スキャンにより受信可能な放送を確認すると、その放送の放送局名、チャンネル名などを含んだ受信情報を放送局から取得する。そして、受信機の地域設定の割り当てがないリモコンのワンタッチボタンに、この放送局のチャンネルが割り当てられて記憶される。チャンネルの割り当て数は、リモコンの搭載メモリや仕様により制限を受ける場合がある。
【０００３】
スキャンが終了すると、受信機は放送局のロゴ情報をチャンネルが割り当てられた放送局から取得する。このロゴ情報は、視聴者のチャンネル選択の便宜のため、各放送局のロゴを選局時などにテレビ画面上で表示するためのものである。ロゴ情報の取得は、スキャン時に行うとスキャンの時間が膨大となるため、通常はスキャンの終了後の番組視聴時などに行われる。スキャンは、初期スキャンと設定変更スキャンとがある。初期スキャンは、リモコンに地域設定の割り当てが全くされていない場合、例えば受信機の電源初期投入時に行われる。設定変更スキャンは、ユーザの操作などにより任意に行われるスキャンであり、既に記憶されているチャンネルの割り当て及びロゴ情報をを消去した後、初期スキャンと同様に全てのチャンネルの検査を行い、チャンネルの割り当て及び記憶を行う。例えば、設定変更時スキャンは、ある地域で受信機を使用した後、他の地域に引っ越して使用するときに行われる。
【０００４】
一方、スキャンには、全ての物理チャンネルを検査する全スキャンと、別途の情報により一部の物理チャンネルを検査する一部スキャンとがある。例えば、特許文献１には、特定地域を指定し、指定された特定地域内に存在する放送局のみをスキャンして、受信可能な放送局の周波数をプリセットするラジオ受信機に関する技術が開示されている。こうすれば、プリセットに必要な時間を短縮することが可能である。
【０００５】
あるいは、特許文献２には、プリセットデータベース１８に地域毎に良好に受信ができるチャンネルを登録し、このチャンネルのうち受信機が現在位置する地域に対応するものをチャンネルメモリ１７に登録し、登録されたチャンネルをチェックして正常に受信できるか否か判断し、正しく受信できないチャンネルは登録を削除する放送受信装置に関する技術が開示されている。こうすれば、カーナビ等の移動体機器に放送受信装置を搭載したとき、移動体機器が頻繁に地域範囲の境界を越えても、利用者に負担をかけず良好な受信が可能である。
【０００６】
なお、ＢＳ／１１０°ＣＳ（広帯域ＣＳ）では、受信機の製造時点で入手可能なロゴ情報が受信機に組み込まれており、ＥＰＧ（Ｅｌｅｃｔｒｏｎｉｃ  Ｐｒｏｇｒａｍ  Ｇｕｉｄｅ）表示時には通常全ての放送局のロゴが表示可能となっている。
【０００７】
【特許文献１】
特開平１１−８８１２３号公報（第２頁）
【０００８】
【特許文献２】
特開平２００１−１６８６８４号公報（第２〜１２頁、図７及び図８）
【０００９】
【発明が解決しようとする課題】
上述のように、地上波デジタル放送受信機の設定変更時スキャンでは、既に記憶されているチャンネルの割り当て及びロゴ情報が消去される。従って、受信機のユーザが、引っ越し時、あるいは誤操作により設定変更時スキャンを行った場合、スキャン終了後からロゴ情報取得時まではロゴをテレビ画面のＥＰＧ表示などで視認できず、チャンネル選択時に不便である。特に、受信機の扱いに不慣れなユーザがロゴを視認できなかった場合、ユーザが受信機の故障と誤解して受信機の製造元へのクレームにつながるおそれがある。特に、スキャン終了後からロゴ情報取得まではある程度の時間を要するため、スキャンするチャンネル数が多ければそれだけロゴ表示ができない期間が長くなり、ユーザのチャンネル選択にも悪影響を及ぼす。
【００１０】
また、特許文献１及び２に記載の技術では、放送局からロゴ情報を取得して記憶することについては開示されておらず、特許文献１及び２に記載の技術に基づき受信したロゴ情報を受信機に記憶することは困難である。同様に、従来のＢＳ／１１０°ＣＳ（広帯域ＣＳ）においても放送局からロゴ情報を取得して記憶することは行われていない。
【００１１】
本発明は、既に放送局から取得されて記憶されている受信情報を有効に活用し、ユーザのチャンネル選択の便宜に資する地上波デジタル放送受信機を提供することを目的とする。
【００１２】
【課題を解決するための手段】
上述した課題を解決するため、請求項１に係る地上波デジタル放送受信機は、地上波デジタル放送チャンネルのスキャンにおいてある放送局から受信した受信情報に含まれるサービスＩＤと、既に放送局から受信して記憶されている受信情報に含まれるサービスＩＤとを比較し、これらのサービスＩＤが一致する場合は記憶されているロゴ情報を消去せず、一致しない場合は記憶されているロゴ情報を消去することを特徴とする。
【００１３】
ここでは、スキャンの実行により受信した受信情報のサービスＩＤと、既に記憶されている受信情報のサービスＩＤとが一致する場合、ロゴ情報を消去しない。ここで、サービスＩＤとは、ある放送局により提供されるチャンネルの識別子（番号）である。従って、一旦初期スキャンが実行され、初期スキャンが完了して記憶されたロゴ情報が、その後の引っ越しや誤操作による設定変更スキャンにより消去されないため新たにロゴ情報を取得する必要がなくなる。そして、設定変更スキャン開始からロゴ情報取得までの長時間に渡るロゴ非表示あるいはそれにともなうチャンネル選択の不都合や製品クレーム発生などの問題を防ぐことができる。一方、受信したサービスＩＤと記憶されているサービスＩＤとが一致しない場合、記憶されているロゴ情報が消去される。すなわち、記憶されているロゴ情報のうちスキャンの結果受信不可能と判断された放送局の不要なロゴ情報を消去し、受信機の仕様などにより記憶容量が制限されているメモリを有効に利用することができる。
【００１４】
請求項２に係る地上波デジタル放送受信機は、地上波デジタル放送チャンネルのスキャンにおいてある放送局から受信した受信情報と、既に放送局から受信して記憶されている受信情報とを比較し、これらの受信情報の比較結果に応じて記憶されているロゴ情報を消去しないことを特徴とする。
【００１５】
ここでは、スキャンの実行により受信した受信情報と既に記憶されている受信情報との比較結果に応じ、記憶されているロゴ情報を消去しない。ここで、受信情報は、例えばある放送局により提供されるチャンネルの識別子（番号）であるサービスＩＤを含む。従って、一旦初期スキャンが実行され、初期スキャンが完了して記憶されたロゴ情報を、必要に応じて消去せずに残すことができる。そして、消去せずに残したロゴ情報を利用することで新たにロゴ情報を取得する必要がなくなり、設定変更スキャン開始からロゴ情報取得までの長時間に渡るロゴ非表示あるいはそれにともなうチャンネル選択の不都合や製品クレーム発生などの問題を防ぐことができる。
【００１６】
請求項３に係る地上波デジタル放送受信機は、請求項２記載の地上波デジタル放送受信機において、前記受信した受信情報と前記記憶されている受信情報とが一致するか否かを判断し、一致しない場合は記憶されているロゴ情報を消去することを特徴とする。
【００１７】
ここでは、スキャンの実行により受信した受信情報と既に記憶されている受信情報とが一致しない場合、記憶されているロゴ情報が消去される。従って、記憶されているロゴ情報のうちスキャンの結果受信不可能と判断された放送局の不要なロゴ情報を消去し、受信機の仕様などにより記憶容量が制限されているメモリを有効に利用することができる。一方、スキャン完了後に取得されるべきロゴ情報が既に記憶されている場合、ロゴ情報は消去されず記憶されたまま残る。従って、消去せずに残したロゴ情報を利用することで新たにロゴ情報を取得する必要がなくなる。
【００１８】
請求項４に係る地上波デジタル放送受信機は、請求項２記載の地上波デジタル放送受信機において、前記記憶されている受信情報はサービスＩＤを含むことを特徴とする。
【００１９】
ここでは、受信情報に含まれるサービスＩＤ同士を比較することで、受信した受信情報が既にチャンネルの割り当てられた放送局からのものであるか否かを判断することができる。
【００２０】
【発明の実施の形態】
＜第１実施形態＞
（１）構成
図１は、本発明の一実施形態に係る地上波デジタル放送受信機の構成図である。この受信機は、ＯＦＤＭチューナ回路１と、ＤＥ・ＭＵＸ回路２と、ＭＰＥＧＤＥＣＯＤＥＲ回路３と、ＧＲＡＰＨＩＣ回路４と、ＮＴＳＣエンコーダ回路５と、ＣＰＵ６と、メモリ７，８とを備えている。ＯＦＤＭチューナ回路１は、ＣＰＵ６により設定されるチャンネルの周波数に基づいて放送信号を受信する。ＤＥ・ＭＵＸ回路２は、ＯＦＤＭ信号をＭＰＥＧ形式のデータにデコードしてＭＰＥＧ  ＤＥＣＯＤＥＲ回路３に出力するとともに、ＮＩＴに含まれる地域識別情報をＣＰＵ６に入力する。ＭＰＥＧ  ＤＥＣＯＤＥＲ回路３は、ＭＰＥＧ形式のデータをデコードする。ＧＲＡＰＨＩＣ回路４は、デコードされたＭＰＥＧ形式のデータを画像信号に変換する。ＮＴＳＣエンコーダ回路５は、画像信号をＮＴＳＣ信号に変換し、テレビ等の表示装置２０に出力する。なお、テレビがＤ端子を有している場合には、Ｄ端子に入力するようにしてもよい。
【００２１】
ＣＰＵ６は、ＯＦＤＭチューナ回路１にチャンネルの周波数を設定することによりチャンネルスキャンを行う。チャンネルスキャンの結果、ある放送局からの放送信号が正常かつ良好に受信できると判断された場合、ＣＰＵ６は、その放送信号に含まれる受信情報を取得し、取得した受信情報と、地域識別情報に基づきその放送信号に割り当てるべきリモコン１０のチャンネル選択ボタンの番号とを対応づけてメモリ８に記憶する。また、ＣＰＵ６は、メモリ８に記憶された受信情報に含まれるサービスＩＤで特定される放送局にロゴ情報の送信を要求し、受信したロゴ情報を受信情報と対応づけてメモリ８に記憶する。以下、割り当てられたチャンネル選択ボタンの番号と、受信情報と、ロゴ情報とが対応づけられた情報をチャンネル情報という。一方、ＣＰＵ６は、チャンネルスキャンの結果、ある放送局からの放送信号が正常かつ良好に受信できると判断された場合、受信した放送信号に含まれるサービスＩＤをメモリ７に一時的に記憶する。
【００２２】
図２は、メモリ８に記憶されるチャンネル情報の概念説明図である。図２に示すように、メモリ８には、チャンネルのボタンの番号と、受信情報と、ロゴ情報とが対応づけられて記憶されている。受信情報は、放送局により提供されるサービス提供チャンネルの周波数を特定するためのサービスＩＤ（チャンネル番号）と、放送局の名称である放送局名と、チャンネルの名称であるチャンネル名とを含む。ロゴ情報は、放送局を視覚的に表すロゴをＥＰＧ（ＥｌｅｃｔｒｏｎｉｃＰｒｏｇｒａｍ  Ｇｕｉｄｅ）表示などにおいて表示するための情報であり、ＰＩＮＧ等の画像ファイルなどでもよい。
【００２３】
ＣＰＵ６は、赤外線受信部９と接続されている。赤外線受信部９は、リモコン１０のチャンネル選択ボタンの操作に基づく赤外線信号を受信する。この赤外線信号には、チャンネル選択ボタンの番号を示す情報が含まれる。ＣＰＵ６は、この赤外線信号に基づいて操作されたボタンに対応するサービスＩＤをメモリ８に記憶されるチャンネル情報に基づいて特定し、このサービスＩＤで特定される周波数をＯＦＤＭチューナ回路１に設定し、放送信号を受信する。
【００２４】
メモリ７は、揮発性のメモリ、例えばＲＡＭである。メモリ８は、フラッシュメモリ等の不揮発性のメモリ、例えばＥＥＰＲＯＭである。メモリ７は、受信信号に含まれる受信情報を一時的に記憶する。
【００２５】
（２）処理の流れ
次に、ＣＰＵ６が行う処理について説明する。ＣＰＵ６は、ロゴ情報取得処理を行う。ロゴ取得処理では、メモリ７に一時的に記憶されたサービスＩＤと、メモリ８に記憶された受信情報のサービスＩＤとの比較結果に基づきロゴ情報がメモリ８から消去され、新たにロゴ情報が放送局から取得される。以下、ロゴ情報取得処理の流れを図３のフローチャートに基づいて説明する。この処理は、チャンネルスキャンが完了したときに開始する。
【００２６】
ステップＳ１０：ＣＰＵ６は、メモリ７に記憶されているあるサービスＩＤと、メモリ８に記憶されているサービスＩＤの各々とを比較し、メモリ８に記憶されているいずれかのサービスＩＤと一致するか否かを判断する。いずれかのサービスＩＤと一致する場合、ステップＳ１１へ移行する。いずれのサービスＩＤとも一致しない場合、ステップＳ１５へ移行する。以下、本ステップで一致すると判断されたサービスＩＤを一致サービスＩＤという。
【００２７】
ステップＳ１１：ＣＰＵ６は、メモリ８の空き容量がロゴ情報を記憶するのに十分あるか否かを判断する。この判断は、例えば、メモリ８の空き容量が所定値以上であるか否かにより行うことができる。空き容量が十分ある場合、ステップＳ１３へ移行する。空き容量が十分ない場合、ステップＳ１２へ移行する。
【００２８】
ステップＳ１２：ＣＰＵ６は、一致サービスＩＤに対応するロゴ情報をメモリ８から消去する。
【００２９】
ステップＳ１３：ＣＰＵ６は、一致サービスＩＤで特定される放送局に対し、ロゴ情報を送信するよう要求する。
【００３０】
ステップＳ１４：ＣＰＵ６は、ステップＳ１３の要求に応じて送信されたロゴ情報を取得し、一致サービスＩＤと対応づけてメモリ８に記憶する。
【００３１】
ステップＳ１５：ＣＰＵ６は、上記ステップＳ１０〜１４の処理が、メモリ７に記憶されている全てのサービスＩＤについて行われたか否かを判断する。全てのサービスＩＤについて行われた場合、本処理を終了する。全てのサービスＩＤについて行われていない場合、まだ上記ステップＳ１０〜１４の処理が行われていないサービスＩＤについて上記ステップＳ１０〜１４の処理を繰り返す。
【００３２】
以上の処理により、既に実行されたチャンネルスキャンの完了後にメモリ８に記憶されたロゴ情報のうち、新たにチャンネルスキャンされて正常かつ良好に受信できる放送信号を送信する放送局のロゴ情報はメモリ８から消去されず、そのまま使用できる。従って、チャンネルスキャン完了からロゴ情報取得までの時間ロゴが表示されず、ユーザのチャンネル選局に不都合をきたし、製品クレーム発生のような事態を避けることができる。特に、ステップＳ１１ではメモリ８の空き容量に余裕のある場合はロゴ情報が消去されないため、例えば度々近隣地域内で引っ越したり、ある拠点から車両などでさまざまな地域を移動するユーザなどの受信機で、前回、前々回、あるいはそれより前回のスキャン時に記憶したロゴ情報を記憶しつづけておけば、再び以前と同じ受信地域に引っ越したり、あるいは車両の拠点への帰還の際に行われるスキャンの完了後にそのロゴ情報を利用することができる。
【００３３】
＜その他の実施形態＞
（Ａ）上記第１実施形態のロゴ取得処理のステップＳ１１は行わなくてもよい。この場合、メモリ８の空き容量の有無にかかわらず、ステップＳ１０でサービスＩＤ不一致と判断された場合は常にステップＳ１２でロゴ情報が消去される。こうすれば、受信機の仕様の制約上メモリ８の容量に余裕がない場合であっても、チャンネルスキャン時にロゴ情報を取得して記憶することが可能である。
【００３４】
（Ｂ）メモリ７に記憶されたサービスＩＤの数Ｍとメモリ８に記憶されたサービスＩＤの数Ｎとを比較し、Ｍ≦Ｎの場合はロゴ情報の消去もロゴ情報の取得も行わないようにしてもよい。こうすれば、開局した放送局の数は減少しないという前提のもと、例えば停波している真夜中に誤ってチャンネルスキャンを行った場合であっても、ロゴ情報が消去されずにメモリ８に残る。
【００３５】
（Ｃ）上記第１実施形態のロゴ取得処理のステップＳ１０において、サービスＩＤが一致した場合はステップＳ１５に移行し、新たなロゴ情報の取得は行わない。しかし、前回のチャンネルスキャン時には放送局の都合でロゴ情報が存在せず、受信情報は記憶されているもののそれに対応するロゴ情報がメモリ８に記憶されてない場合や、前回のチャンネルスキャンの後放送局の都合でロゴ情報が変更される場合がある。従って、サービスＩＤが一致した場合であっても、ロゴ情報が記憶されていない場合や、ロゴ情報が変更された場合、ステップＳ１３に移行してロゴ情報を取得するようにしてもよい。
【００３６】
【発明の効果】
本発明によれば、一旦初期スキャンが実行され、初期スキャンが完了して記憶されたロゴ情報を、必要に応じて消去せずに残すことができる。そして、消去せずに残したロゴ情報を利用することで新たにロゴ情報を取得する必要がなくなり、設定変更スキャン開始からロゴ情報取得までの長時間に渡るロゴ非表示あるいはそれにともなうチャンネル選択の不都合や製品クレーム発生などの問題を防ぐことができる。
【図面の簡単な説明】
【図１】地上波デジタル放送受信機の構成図。
【図２】チャンネル情報の概念説明図。
【図３】ロゴ情報取得処理の流れを示すフローチャート。
【符号の説明】
６：ＣＰＵ
７、８：メモリ
【図１】
2004312202.tif 000003
【図２】
2004312202.tif 000004
【図３】
2004312202.tif 000005